(57)【要約】【課題】泡吐出器内で雑菌が発生し難く、衛生的な問題も生じ難い泡吐出器を提供すること。【解決手段】本発明の泡吐出器１は、ポンプヘッド部３が押圧されることにより、抗菌剤入りの内容液８２と空気とが混合され発泡させて吐出するものである。ピストン部５を構成する筒状部材５１とシリンダ部４の液導入室１６との間にはシリンダ部４の第２室１２と連通する隙間１７が配されている。シリンダ部４の第２室１２には、外気を取込み可能とする逆止弁７が配されている。泡吐出器１は、ポンプヘッド部３の押圧が開放されて押圧される前の位置に復帰する際に、第２室１２の内部が負圧となることによって、逆止弁７が開いて該内部に外気を取込むと共に、該内部に隙間１７を介して前記内容液８２を取込む。【選択図】図１
2015098332.tif 000002
【特許請求の範囲】
【請求項１】
抗菌剤の含有された内容液入りの容器本体の口首部に装着されるベースキャップ部に対して往復動可能に設けられたポンプヘッド部を有し、該ポンプヘッド部が押圧されることにより、加圧された液導入室から第１室を通って混合室に前記内容液を送る第１流路と、加圧された第２室から前記混合室に空気を送る第２流路とを開放し、前記混合室に送られた前記内容液を前記混合室から吐出口に至る発泡流路において発泡させて吐出する泡吐出器であって、
前記容器本体の口首部の内側に配置される、大径の前記第２室と該第２室の中央部にて垂下する小径の前記液導入室とを有するシリンダ部、前記第２室及び前記液導入室に亘って室内を上下動する筒状部材と該筒状部材から径方向外側に張り出して設けられて前記第２室の内周面に沿って摺動するピストン部材とを有するピストン部を備え、
前記筒状部材と前記液導入室との間には前記第２室と連通する隙間が設けられており、
前記第２室には、外気を取込み可能とする逆止弁が設けられており、
前記ポンプヘッド部の押圧が開放されて前記ポンプヘッド部が押圧される前の位置に復帰する際に、前記第２室の内部が負圧となることによって、前記逆止弁が開いて該内部に外気を取込むと共に、該内部に前記隙間を介して前記内容液を取込む泡吐出器。
【請求項２】
前記ポンプヘッド部が押圧されることによって、前記第２室から前記第２流路を介して前記混合室に空気を送ると共に、前記第２室から前記隙間を介して前記第１流路を通って、前記混合室に該内容液を送る請求項１記載の泡吐出器。
【請求項３】
前記第２室の周面に、前記容器本体の内部と連通する換気口が設けられており、
前記換気口は、前記ポンプヘッド部が押圧されていない状態において、前記ピストン部材における前記第２室の内周面に沿って摺動する外周ピストン部によって前記第２室の内側から覆われている請求項１又は２記載の泡吐出器。
【発明の詳細な説明】
【技術分野】
【０００１】
本発明は、泡吐出器に関し、特に、容器本体の口首部に取り付けて用いられ、収容された内容液を空気と混合することにより泡状にして吐出する泡吐出器に関する。
【背景技術】
【０００２】
例えば液状の洗浄剤や毛髪剤等を収容し、容器を置いたままの状態でポンプヘッド部を押圧操作することにより、手等による撹拌などを使用者が行うことなく、内容液を泡状にして吐出させるポンプフォーマー容器等の泡吐出器が種々開発されている。このような泡吐出器では、容器本体の口首部に、内容液を空気と混合することにより泡状にして吐出する泡吐出器が装着されている。泡吐出器には、例えば容器本体の口首部に装着されるベースキャップ部に、内容液の吸引、加圧、排出を行うピストン（液ピストン）と、空気の吸引、加圧、排出を行うピストン（エアピストン）とをそれぞれ同心状の直列配置にして組み入れた単一のシリンダ部からなるポンプが設けられている。そして、ベースキャップ部の上方に突出するポンプヘッド部の押し込みによりポンプの各ピストンを作動させ、内容液と空気をそれぞれシリンダ部内で加圧、排出して合流空間で相互に混合し、メッシュリング等の泡生成部材を通過させることで泡状にして内容液を外部に吐出させる構造となっている（例えば、特許文献１参照）。
【０００３】
ポンプフォーマー容器等の泡吐出器は、例えば浴室や洗面台等の水周りで使用される機会が多いため、水に濡れることが多い。特に浴室においては、シャワー等の水が容器に直接かかる場合がある。さらに、ポンプヘッド部は、濡れた手で押すことが多いため、ポンプヘッド部の周囲は水に濡れる機会が多い。そして、特許文献１に記載の泡吐出器は、ポンプヘッド部を押圧して内容液を泡状に吐出した後にこれの押圧を開放した際に、ポンプヘッド部が上方に押し戻されるのに伴って、シリンダ部の内部が負圧になり、例えばポンプヘッド部の縦方向流路となる中空パイプとベースキャップ部のガイドステムとの間の隙間、及び空気を送り出すピストンに設けられた外気取込み孔を介して、ポンプヘッド部やベースキャップ部の周囲の水が、外気と共にベースキャップ部の内側のシリンダ部内の空気室に吸引される恐れがある。このように、水がシリンダ部内の空気室に吸引されると、泡吐出器内で雑菌が発生したり、水が腐敗する恐れがあり、衛生的な問題が生じてしまうことが考えられる。
【０００４】
このようなことから、シリンダ部内の空気室の内面に抗菌剤を付与するために、シリンダ部を成型する樹脂に抗菌剤を配合した泡吐出器が開発されている（例えば、特許文献２参照）。特許文献２の泡吐出器によれば、シリンダ部内の空気室の内面に抗菌剤が付与されているため、泡吐出器内で雑菌が発生し難く、シリンダ部内の空気室に吸引されてしまった水も腐敗し難く、衛生的な問題が生じ難いとされている。
【先行技術文献】
【特許文献】
【０００５】
【特許文献１】特開平７−３１５４６３号公報
【特許文献２】特開２００６−３１２４７４号公報
【発明の概要】
【発明が解決しようとする課題】
【０００６】
しかし、特許文献２の泡吐出器によれば、空気室を構成する部材の樹脂中に抗菌剤が含有されている為、部材表面に滲み出た抗菌剤と空気室内に吸引された水とが接触しない限り抗菌効果は期待できず、菌発生抑制効果は不十分であった。
【０００７】
本発明は、泡吐出器内で雑菌が発生し難く、衛生的な問題も生じ難い泡吐出器に関する。
【課題を解決するための手段】
【０００８】
本発明は、抗菌剤の含有された内容液入りの容器本体の口首部に装着されるベースキャップ部に対して往復動可能に設けられたポンプヘッド部を有し、該ポンプヘッド部が押圧されることにより、加圧された液導入室から第１室を通って混合室に前記内容液を送る第１流路と、加圧された第２室から前記混合室に空気を送る第２流路とを開放し、前記混合室に送られた前記内容液を前記混合室から吐出口に至る発泡流路において発泡させて吐出する泡吐出器であって、前記容器本体の口首部の内側に配置される、大径の前記第２室と該第２室の中央部にて垂下する小径の前記液導入室とを有するシリンダ部、前記第２室及び前記液導入室に亘って室内を上下動する筒状部材と該筒状部材から径方向外側に張り出して設けられて前記第２室の内周面に沿って摺動するピストン部材とを有するピストン部を備え、前記筒状部材と前記液導入室との間には前記第２室と連通する隙間が設けられており、前記第２室には、外気を取込み可能とする逆止弁が設けられており、前記ポンプヘッド部の押圧が開放されて前記ポンプヘッド部が押圧される前の位置に復帰する際に、前記第２室の内部が負圧となることによって、前記逆止弁が開いて該内部に外気を取込むと共に、該内部に前記隙間を介して前記内容液を取込む泡吐出器を提供するものである。
【発明の効果】
【０００９】
本発明の泡吐出器によれば、泡吐出器内で雑菌が発生し難く、衛生的な問題も生じ難い。
【図面の簡単な説明】
【００１０】
【図１】図１は、本発明の好ましい実施形態に係る泡吐出器を容器本体に取り付け、ポンプヘッド部を押圧する前の静止状態の断面図である。
【図２】図２は、本発明の好ましい実施形態に係る泡吐出器を容器本体に取り付け、ポンプヘッド部の押圧を開始した直後の状態の断面図である。
【図３】図３は、本発明の好ましい実施形態に係る泡吐出器を容器本体に取り付け、ポンプヘッド部を最後まで押圧した状態の断面図である。
【図４】図４は、本発明の好ましい実施形態に係る泡吐出器を容器本体に取り付け、ポンプヘッド部の押圧を開放した直後の状態の断面図である。
【発明を実施するための形態】
【００１１】
以下、本発明の泡吐出器を、その好ましい一実施形態に基づき、図１〜図４を参照しながら説明する。
本発明の好ましい一実施形態に係る泡吐出器１（以下、「本実施形態」とも言う。）は、いわゆるポンプフォーマー容器に取り付けて用いるポンプフォーマーであって、従来のポンプフォーマーと同様に、容器本体８の口首部８１に装着されて、内容液８２と空気とを混合することにより泡状にして吐出する機能を備える。本実施形態の泡吐出器１は、図１に示すように、抗菌剤の含有された内容液８２入りの容器本体８の口首部８１に装着されるベースキャップ部２に対して往復動可能に設けられたポンプヘッド部３を有し、該ポンプヘッド部３が押圧されることにより、加圧された液導入室１６から第１室１１を通って混合室１３に前記内容液８２を送る第１流路１４と、加圧された第２室１２から混合室１３に空気を送る第２流路１５とを開放し、混合室１３に送られた前記内容液８２を混合室１３から吐出口３１に至る発泡流路３２において発泡させて吐出する泡吐出器１である。
【００１２】
本実施形態の泡吐出器１は、図１に示すように、容器本体８の口首部８１の内側に配置される、大径の第２室１２と該第２室１２の中央部にて垂下する小径の液導入室１６とを有するシリンダ部４、第２室１２及び液導入室１６に亘って室内を上下動する筒状部材５１と筒状部材５１から径方向外側に張り出して設けられて第２室１２の内周面に沿って摺動するピストン部材５２とを有するピストン部５を備えている。本実施形態の泡吐出器１は、筒状部材５１とピストン部材５２とを、それぞれ同心状の直列配置にして組み入れた単一のシリンダ部４を含むポンプ６を有している。そしてベースキャップ部２の上方に突出するポンプヘッド部３の押し込みにより、ポンプ６の筒状部材５１及びピストン部材５２を作動させ、内容液８２と空気をそれぞれシリンダ部４内で加圧、排出して、これらをポンプ出側に合流空間として設けた混合室１３で混合し、泡状にしてポンプヘッド部３の吐出口３１から外部に吐出させるものである。
【００１３】
ベースキャップ部２は、本実施形態では、図１に示すように、円環状の天井部２１と、天井部２１の上面から立設する円筒状のガイドステム２２とを有している。天井部２１の外周縁全域から垂下する円筒状の周壁の内面には、容器本体８の口首部８１の外周に周設された螺条と螺合する螺溝が周設されている。このように形成されたベースキャップ部２により、ポンプヘッド部３が、容器本体８の口首部８１に装着される。
【００１４】
ポンプヘッド部３は、本実施形態では、図１に示すように、ベースキャップ部２のガイドステム２２に相対変位可能に挿入される円筒状の中空パイプ３３を有しており、またポンプヘッド部３の上部先端部分には、泡状にした内容液を吐出する吐出口３１を備えている。中空パイプ３３の内部には、吐出口３１に至る発泡流路３２が形成されている。発泡流路３２には、空気と内容液８２とを混合する混合室１３と、混合室１３の下流側に混合液を泡状にする泡生成部材１８とが設けられている。
【００１５】
ポンプヘッド部３は、本実施形態では、図１に示すように、中空パイプ３３の下端部に、後述するように、上部が嵌め込まれて一体として連結された円筒部５１１と、円筒部５１１の下端部に上部が嵌め込まれて一体として連結された弾性体支持部５１２とを有する筒状部材５１を介して、シリンダ部４の液導入室１６に設けられたスプリング部材９１の作用によって、上方に付勢されるようになっている。すなわち、本実施形態では、筒状部材５１の円筒部５１１は、その上端部分がポンプヘッド部３の中空パイプ３３に一体として装着されており、ポンプヘッド部３の中空パイプ３３と筒状部材５１とは、一体となって上下動するようになっている。尚、ポンプヘッド部３の中空パイプ３３の下端部に嵌め込まれた、ピストン部５を構成する筒状部材５１の円筒部５１１の内部には、第１室１１が形成されており、第１室１１と混合室１３との間には、ボール弁９２が配置されている。
なお、本実施形態では、スプリング部材９１の下端部は、液導入室１６下端部の内周面に設けられたリブ（図示しない）に係合されている。
【００１６】
上述したように、ポンプヘッド部３を構成する中空パイプ３３の下端部と、ピストン部５を構成する筒状部材５１の円筒部５１１の上部とは、嵌め込まれて一体として連結されているが、本実施形態では、図１に示すように、連結部分において、中空パイプ３３の内周面の一部、又は筒状部材５１の円筒部５１１の外周面の一部に、上下方向に延びる線状切り欠き溝が形成されている。この線状切り欠き溝が、空気通路である第２流路１５の一部となる。
【００１７】
シリンダ部４は、本実施形態では、図１に示すように、ベースキャップ部２の天井部２１の周壁よりも内側であって、天井部２１の下面にフランジを介して一体化されており、容器本体８内へ垂下して形成されている。シリンダ部４は、その上部が大径の第２室１２となっており、第２室１２の中央部において第２室１２から容器本体８の底部付近まで垂下する部分が小径の液導入室１６となっている。
【００１８】
ピストン部５を構成する筒状部材５１は、本実施形態では、容器本体８内の内容液８２を筒状部材５１の内部に形成された第１室１１に吸引し、第１室１１で加圧して、第１室１１から混合室１３に排出を行うものである。
本実施形態では、筒状部材５１は、図１に示すように、ポンプヘッド部３が押圧されていない状態（非押圧時）で、ポンプヘッド部３の中空パイプ３３の下端部からシリンダ部４の第２室１２を貫通して液導入室１６の上部にまで亘る略円筒状の円筒部５１１と、スプリング部材９１を支持する略円筒状の弾性体支持部５１２とから構成されている。弾性体支持部５１２は、その上部外周面が、円筒部５１１の下部内周面と嵌合して一体化されている。尚、ピストン部５を構成する筒状部材５１の内側であって、スプリング部材９１の内側に、シリンダ部４の液導入室１６の上下方向に延びるポペット弁９３が配置されている。
円筒部５１１の内側（第１室１１側）の内周面には、リブ（図示しない）が周方向に複数個、設けられており、ポペット弁９３の上端部と軽度に嵌合して一体化されている。軽度に嵌合とは、図２に示すように、ポンプヘッド部３の押圧を開始した直後では、円筒部５１１とポペット弁９３は一体で下方に移動し、ポペット弁９３の下端部が液導入室１６の内壁と接触して、導入流路１９を閉塞した場合には、図３に示す状態まで円筒部５１１のみが下方に移動し、図４に示すように、ポンプヘッド部３の押圧を開放すると、再び円筒部５１１とポペット弁９３は一体で上方に移動する程度の接触状態を示す。
【００１９】
本実施形態では、図１に示すように、筒状部材５１の円筒部５１１の外周面における、後述するピストン部材５２のピストン円筒部５２１が装着された部分の下方に、空気流路である第２流路１５を開閉する閉塞用凹状リブ５１３が設けられている。閉塞用凹状リブ５１３は、円筒部５１１の外周面から外方に張り出すように突出して当該外周面に沿って円環状に設けられている。筒状部材５１の閉塞用凹状リブ５１３に、ピストン部材５２のピストン円筒部５２１の下端部を挿入して当接させることにより、空気流路である第２流路１５を、その入口部分において閉塞することが可能になる。また、閉塞用凹状リブ５１３は、ポンプヘッド部３が最も押圧された状態において、シリンダ部４の第２室１２の底部に当接するようになっている（図３参照）。
【００２０】
このように構成された筒状部材５１を備える泡吐出器１には、筒状部材５１と液導入室１６との間に第２室１２と連通する隙間１７が設けられている。該隙間１７は、ポンプヘッド部３を押圧したり押圧を開放したりすることによって、筒状部材５１が上下動する際にも開いている。具体的には、ポンプヘッド部３が押圧されていない状態（非押圧時）においては、図１に示すように、筒状部材５１の円筒部５１１は、液導入室１６の上部に位置している。筒状部材５１を構成する円筒部５１１の外周面と、液導入室１６の内周面との間には０．１ｍｍ〜０．３ｍｍ程度の隙間１７が設けられている。また、ポンプヘッド部３が押圧された状態（押圧時）においては、図２及び図３に示すように、筒状部材５１の円筒部５１１が、液導入室１６の内部に挿入されているが、筒状部材５１を構成する円筒部５１１の外周面と、液導入室１６の内周面との間には０．１ｍｍ〜０．３ｍｍ程度の隙間１７が設けられている。
【００２１】
なお、本願明細書において「筒状部材と液導入室との間には第２室と連通する隙間が設けられている」とは、上述のように筒状部材５１と前記液導入室１６の内周面との間に隙間を設ける構成以外に、液導入室１６の内周面に溝を設け、筒状部材５１と前記液導入室１６の内周面とを接触する位置に設ける構成も含まれる。
【００２２】
また、ピストン部５を構成するピストン部材５２は、本実施形態では、外気と容器本体８内の内容液８２とをシリンダ部４の第２室１２に吸引し、第２室１２で加圧して、第２室１２から混合室１３に空気を排出すると共に、第２室１２から第１室１１を介して混合室１３に内容液８２を排出するものである。
本実施形態では、ピストン部材５２は、図１に示すように、筒状部材５１の円筒部５１１の外周面に０．１〜０．２ｍｍ程度の隙間を有した状態で相対変位可能に遊嵌するピストン円筒部５２１と、ピストン円筒部５２１の外周面から外方に張り出して円環状に設けられた張出し部５２２と、張出し部５２２の外周先端部分に設けられ、シリンダ部４の第２室１２の内周面に密着状態で摺動可能に接する外周面を備える外周ピストン部５２３とからなる。尚、筒状部材５１の円筒部５１１の外周面とピストン部材５２のピストン円筒部５２１の内周面との間の隙間が、空気通路である第２流路１５の一部となる。張出し部５２２は、さらに、ピストン円筒部５２１との接合基端部から外方に向って張り出す環状平板部５２２ａと、環状平板部５２２ａの外周縁部に垂直に立設して接合された環状外側壁５２２ｂと、環状外側壁５２２ｂの下端部から外方に向って張り出す外側環状平板部５２２ｃとを含んで構成されている。外側環状平板部５２２ｃの外周縁部には、外周ピストン部５２３が延設されている。
【００２３】
泡吐出器１は、第２室１２に外気を取込み可能とする逆止弁７が設けられている。詳述すると、ピストン部材５２は、本実施形態では、図１に示すように、第２室１２に貫通する外気取込み孔５２４を有している。外気取込み孔５２４は、本実施形態では、ピストン部材５２を構成する張出し部５２２の環状平板部５２２ａに設けられている。また、外気取込み孔５２４を下方から覆うようにして、第２室１２には空気バルブ７１が設けられている。空気バルブ７１は、逆止弁７として用いられ、ピストン部材５２の上昇により第２室１２が負圧になって吸引力を生じる際には、吸引力によって空気バルブ７１が開放され、外気取込み孔５２４を介して、ポンプヘッド部３の中空パイプ３３とベースキャップ部２のガイドステム２２との間の隙間を通過した外気が、第２室１２に取り込まれる。すなわち、逆止弁７である空気バルブ７１は、ポンプヘッド部３の押圧が開放されてポンプヘッド部３が上昇し、押圧される前の位置、言い換えれば、元の位置に復帰する際に、第２室１２の内部が負圧となることにより開いて、外気を第２室１２に取込み可能とする。
【００２４】
尚、本実施形態の泡吐出器１は、図１に示すように、ポンプヘッド部３の中空パイプ３３の外方に、中空パイプ３３と同心状に配置されたスカート状カバー３４が、中空パイプ３３とベースキャップ部２のガイドステム２２との間の隙間を覆うように設けられている。スカート状カバー３４が設けられていることにより、中空パイプ３３とガイドステム２２との間の隙間を介して外気が吸引される際に、外気の吸引に伴ってこれらの隙間から、外気と共にポンプヘッド部３やベースキャップ部２の周囲の水が第２室１２に流入するのを、相当程度防止することが可能になる。
【００２５】
また、本実施形態の泡吐出器１は、図１に示すように、シリンダ部４の第２室１２の周面に、容器本体８の内部と連通する換気口１２１が設けられている。換気口１２１は、ポンプヘッド部３が押圧されていない状態（非押圧時）において、ピストン部材５２におけるシリンダ部４の第２室１２の内周面に沿って摺動する外周ピストン部５２３によって第２室１２の内側から覆われている。第２室１２の周面に換気口１２１が設けられていることにより、ポンプヘッド部３が押圧される際に、換気口１２１を介して外気を容器本体８に送り込むことで、容器本体８の内部の内容液８２が減少して容器本体８が収縮変形するのを、効果的に回避することが可能になる。また、ポンプヘッド部３が押圧されていない状態（非押圧時）において、換気口１２１がピストン部材５２の外周ピストン部５２３によって覆われて閉塞されていることにより、例えばポンプフォーマー容器の非使用時に容器が転倒等した際に、内容液８２が換気口１２１を介して容器本体８から第２室１２に流入するのを、効果的に回避することが可能になる。
【００２６】
容器本体８内の内容液８２に含有される抗菌剤としては、例えば安息香酸イソプロピルメチルフェノール、トリクロサン等が挙げられる。抗菌剤としては、これらの中から選ばれた１種、又は２種以上を組み合わせて用いることができる。
【００２７】
以上のように構成された本実施形態の泡吐出器１は、ポンプヘッド部３の押圧が開放されてポンプヘッド部３が押圧される前の位置に復帰する際に、第２室１２の内部が負圧となることによって、逆止弁７が開いて第２室１２の内部に外気を取込むと共に、第２室１２の内部に隙間１７を介して内容液８２を取込むようになる。また、本実施形態の泡吐出器１は、ポンプヘッド部３が押圧されることによって、第２室１２から第２流路１５を介して混合室１３に空気を送ると共に、第２室１２から隙間１７を介して前記第１流路１４を通って、混合室１３に内容液８２を送るようになる。以下、具体的に、図１〜図４を用いて説明する。
【００２８】
本実施形態では、図１に示すポンプヘッド部３が押圧されていない押圧前の状態（非押圧時）から、スプリング部材９１の付勢力に抗してポンプヘッド部３を押圧して下方に押し下げれば、ピストン部材５２のピストン円筒部５２１と筒状部材５１の円筒部５１１とが遊嵌状態で装着されており、ピストン部材５２の外周ピストン部５２３とシリンダ部４の第２室１２の内周面との密着力の方が、抵抗が大きくなっていることから、先ず、図２に示すように、ポンプヘッド部３の中空パイプ３３と共にピストン部５の筒状部材５１が、ピストン部５のピストン部材５２に対して相対的に下方にスライド移動する。これに伴って、ピストン部材５２のピストン円筒部５２１の下端部が、筒状部材５１の閉塞用凹状リブ５１３から離れ、ピストン円筒部５２１の下端部と筒状部材５１の閉塞用凹状リブ５１３との密着状態が解除されるので、ポンプヘッド部３を構成する中空パイプ３３と筒状部材５１の円筒部５１１との連結部分に形成された線状切り欠き溝、及び筒状部材５１の円筒部５１１とピストン部材５２のピストン円筒部５２１との遊嵌部分の隙間からなる第２流路１５に、空気を流通させることが可能な状態となる。
【００２９】
次に、図３に示すように、ポンプヘッド部３をさらに下方に押圧して押し下げれば、ポンプヘッド部３の中空パイプ３３と共に、ピストン部５の筒状部材５１及びピストン部材５２が、一体として下方に押し下げられることになる。これによって、シリンダ部４の第２室１２内の空気が、第２流路１５を介してポンプヘッド部３の中空パイプ３３内に配置された発泡流路３２に向けて排出される。
【００３０】
さらに、図３に示すように、ポンプヘッド部３の中空パイプ３３と共にピストン部５の筒状部材５１及びピストン部材５２が、下方に押し下げられることによって、筒状部材５１の円筒部５１１の内部に形成された第１室１１内の内容液８２の液圧が高くなり、ボール弁９２ａが上方に移動して、第１流路１４が開放される。そして、シリンダ部４の第２室１２内の内容液８２が、ピストン部５の筒状部材５１とシリンダ部４の液導入室１６との間の隙間１７を介して、筒状部材５１の円筒部５１１の内部に形成された第１室１１に送られると共に、第１室１１内の内容液８２が第１流路１４を介して中空パイプ３３内の発泡流路３２に向けて加圧、排出される。
【００３１】
このように排出された内容液８２と空気とが、ポンプヘッド部３の中空パイプ３３内に配置された混合室１３において加圧混合され、加圧混合された混合液が泡生成部材１８を通過して発泡された後に、ポンプヘッド部３の吐出口３１から泡状に吐出される。
【００３２】
ポンプヘッド部３は、図３に示すように、ピストン部５を構成するピストン部材５２の外周ピストン部５２３がシリンダ部４の第２室１２の底部近傍まで至り、更に、ピストン部５を構成する筒状部材５１の閉塞用凹状リブ５１３がシリンダ部４の第２室１２の底部に当接するまで、すなわち１ストロークの最後まで押圧される。
【００３３】
ポンプヘッド部３を最後まで押圧したら、ポンプヘッド部３の押圧を開放する。ポンプヘッド部３の押圧を開放すると、先ず図４に示すように、ピストン部材５２のピストン円筒部５２１と筒状部材５１の円筒部５１１とが遊嵌状態で装着されており、ピストン部材５２の外周ピストン部５２３とシリンダ部４の第２室１２の内周面との密着力の方が、抵抗が大きくなっていることから、スプリング部材９１の付勢力によって、ポンプヘッド部３の中空パイプ３３と共にピストン部５の筒状部材５１が、ピストン部５のピストン部材５２に対して相対的に上方にスライド移動する。これに伴って、筒状部材５１の閉塞用凹状リブ５１３が、ピストン部材５２に対して上方に移動するので、ピストン部材５２のピストン円筒部５２１の下端部が、筒状部材５１の閉塞用凹状リブ５１３の凹部に密着当接され、第２流路１５を介した空気の流通を遮断する。また、ボール弁９２ａが自重によって下方に移動することにより、ピストン部５を構成する筒状部材５１の円筒部５１１の内部の第１室１１が閉塞される。
【００３４】
しかる後に、スプリング部材９１の付勢力によって、ポンプヘッド部３が上方に押し上げられ復帰すると共に、筒状部材５１及びピストン部材５２も押し上げられる。これによって、ピストン部５を構成する筒状部材５１の内部の第１室１１が負圧になるので、シリンダ部４の液導入室１６の内部に配されたポペット弁９３が上方に移動する。このようにポペット弁９３が上方に移動することによって、導入流路１９が開放されて、容器本体８内の内容液８２が、液導入室１６の下部に配置された吸引管９４を介して、液導入室１６の内部に吸引供給される。
【００３５】
さらに、ポンプヘッド部３が上方に押し上げられ元の位置に復帰すると共に筒状部材５１及びピストン部材５２も押し上げられることによって、シリンダ部４の第２室１２が負圧になり、第２室１２に設けられた空気バルブ７１が開放されることで、ピストン部材５２を構成する張出し部５２２の環状平板部５２２ａに設けられた外気取込み孔５２４を介して、外気が第２室１２に取り込まれることになる。また、シリンダ部４の第２室１２が負圧になることによって、容器本体８内の内容液８２が、開放された導入流路１９を通って、ピストン部５の筒状部材５１とシリンダ部４の液導入室１６との間の隙間１７を介して、第２室１２に取り込まれることになる。
【００３６】
以上のような操作を繰り返し行うことによって、ポンプヘッド部３の１ストローク毎に、内容液８２と空気との泡状になった混合液が、ポンプヘッド部３の吐出口３１から外部に吐出される。
【００３７】
上述した本発明の一実施形態の泡吐出器１を使用した際の作用効果について説明する。
本実施形態の泡吐出器１は、図４に示すように、ポンプヘッド部３の押圧が開放されてポンプヘッド部３が元の位置に復帰する際に、シリンダ部４の第２室１２の内部が負圧となることによって、逆止弁７が開いて第２室１２の内部に外気が取込まれると共に、第２室１２の内部に隙間１７を介して内容液８２も取込まれている。従って、第２室１２の内部を負圧にして、逆止弁７を開き、外気取込み孔５２４を介して、第２室１２の内部に外気が取込まれる際に、ポンプヘッド部３或いはベースキャップ部２の周囲に付いた水が、該外気と共にシリンダ部４の第２室１２の内部に吸引されてしまっても、第２室１２の内部には、抗菌剤の含有された内容液８２が取り込まれているので、シリンダ部４内の水が腐敗し難く、泡吐出器１内で雑菌が発生し難く、衛生的な問題が生じ難い。また、本実施形態の泡吐出器１は、衛生的な問題が生じ難いように、容器本体８内の内容液８２を利用しているので、構成が簡素となる。このように構成が簡素化すると、泡吐出器１の生産性が向上する。
【００３８】
また、本実施形態の泡吐出器１は、図２及び図３に示すように、ポンプヘッド部３が押圧されることによって、シリンダ部４の第２室１２から第２流路１５を介して混合室１３に空気を送ると共に、シリンダ部４の第２室１２から隙間１７を介して第１流路１４を通って混合室１３に内容液８２を送るようになる。
【００３９】
本発明の泡吐出器は、上述の実施形態の泡吐出器１に何ら制限されるものではなく、適宜変更可能である。
【００４０】
例えば、本実施形態の泡吐出器１においては、図１に示すように、ポンプヘッド部３は、シリンダ部４の液導入室１６に設けられたスプリング部材９１の作用によって、上方に付勢されるようになっているが、スプリング部材９１は、液導入室１６に設ける必要はなく、例えば、ポンプヘッド部３の中空パイプ３３を囲うように、ベースキャップ部２の円筒状のガイドステム２２の上部に設けてもよい。
【００４１】
また、本実施形態の泡吐出器１においては、図１に示すように、外気取込み孔５２４が、ピストン部材５２を構成する張出し部５２２の環状平板部５２２ａに設けられているが、環状平板部５２２ａに設ける必要はない。
【符号の説明】
【００４２】
１  泡吐出器
１１  第１室
１２  第２室
１２１  換気口
１３  混合室
１４  第１流路
１５  第２流路
１６  液導入室
１７  隙間
１８  泡生成部材
１９  導入流路
２  ベースキャップ部
２１  天位部
２２  ガイドステム
３  ポンプヘッド部
３１  吐出口
３２  発泡流路
３３  中空パイプ
３４  スカート状カバー
４  シリンダ部
５  ピストン部
５１  筒状部材
５１１  円筒部
５１２  弾性体支持部
５１３  閉塞用凹状リブ
５２  ピストン部材
５２１  ピストン円筒部
５２２  張出し部
５２２ａ  環状平板部
５２２ｂ  環状外側壁
５２２ｃ  外側環状平板部
５２３  外周ピストン部
５２４  外気取込み孔
６  ポンプ
７  逆止弁
７１  空気バルブ
８  容器本体
８１  口首部
８２  内容液
９１  スプリング部材
９２  ボール弁
９３  ポペット弁
９４  吸引管
【図１】
2015098332.tif 000003
【図２】
2015098332.tif 000004
【図３】
2015098332.tif 000005
【図４】
2015098332.tif 000006